(57)【要約】  開示のモバイル装置（１）は、データ処理部（１０）、タッチ入力信号（Ｓｔ）をデータ処理部（１０）に提供するよう配置されるタッチ制御部（２０）、及びモバイル装置の３次又はそれより高次の微分の大きさを示すショック指示信号（Ｓｊ）を提供するよう構成される動き状態センサ部（３０）を有する。モバイル装置は、相互に異なる複数の動作モード（Ｍ１、Ｍ２）のうちの１つを選択するモード制御部（１５）を更に有する。相互に異なる複数の動作モードは、少なくとも、タッチ入力信号がモバイル装置の動作を制御する制御信号として用いられる通常動作モード（Ｍ１）、及びタッチ入力信号が禁止されるショックタッチ保護モード（Ｍ２）を有する。
2015507296.tif 000002
【特許請求の範囲】
【請求項１】
モバイル装置であって、
−データ処理部と、
−前記データ処理部にタッチ入力信号を提供するよう配置されるタッチ制御部と、
−前記モバイル装置の位置の３次又はそれより高次の微分の大きさを示すショック指示信号を生成するよう配置される動き状態センサ部と、
−少なくとも、前記タッチ入力信号が前記モバイル装置の動作を制御する制御信号として用いられる通常動作モード及び前記タッチ入力信号が禁止されるショックタッチ保護モードを有する相互に異なる複数の動作モードのうちの１つを選択するモード制御部と、
を有するモバイル装置。
【請求項２】
ショック指示信号により示される前記大きさをショック閾値と比較し及び該比較の結果を示すモード制御信号を提供する閾部、を更に有する請求項１に記載のモバイル装置。
【請求項３】
前記モード制御信号により、前記大きさが前記ショック閾値より大きいと示されると、前記モバイル装置は、前記ショックタッチ保護モードをとる、請求項２に記載のモバイル装置。
【請求項４】
前記モード制御信号により、前記大きさが前記ショック閾値より大きいと示されると、前記モバイル装置は、ユーザが前記ショックタッチ保護モードを起動するよう提案されるショックタッチ警告モードをとる、請求項２に記載のモバイル装置。
【請求項５】
閾適応部、を有し、前記閾適応部は、前記ショック入力信号の履歴に従って前記ショック閾値を選ぶよう配置され、前記ショック閾値は、前記ショック入力信号により示される前記歴史的大きさと正相関される、請求項２に記載のモバイル装置。
【請求項６】
前記ショック閾値より大きい前記大きさの最後の発生の後、所定の時間間隔まで、前記モバイル装置をショックタッチ保護モードに維持するタイマ部、を有する請求項２に記載のモバイル装置。
【請求項７】
前記タッチ入力信号を遅延させる遅延部、を有する請求項２に記載のモバイル装置。
【請求項８】
前記ショック指示信号は、前記ショックの方向も示し、前記モード制御部は、前記ショック指示信号により示される大きさ及び方向に依存する動作モードを選択するよう配置される、請求項２に記載のモバイル装置。
【請求項９】
モード制御却下部であって、前記タッチ制御信号が自発的なユーザ動作から生じる可能性が可能性閾より高いと決定した場合、前記ショックタッチ保護モード中に前記タッチ入力信号による制御を可能にする、モード制御却下部、を更に有する請求項２に記載のモバイル装置。
【請求項１０】
モバイル装置の動作方法であって、
−前記モバイル装置の位置の３次又はそれより高次の微分の大きさを示すショック指示信号を提供するステップと、
−前記ショック指示信号を処理するステップと、
−前記ショック指示信号に依存して、少なくとも、ユーザが前記モバイル装置の動作を制御するための制御信号としてタッチ入力信号を提供できる通常動作モード及びタッチ入力信号による制御が禁止されるショックタッチ保護モードを有する相互に異なる複数の動作モードのうちの１つで選択的に動作するステップと、
を有する方法。
【請求項１１】
前記ショック指示信号により示される大きさをショック閾値と比較し及び該比較の結果を示すモード制御信号を提供するステップ、
を更に有する請求項１０に記載の方法。
【請求項１２】
前記大きさが前記ショック閾値より大きいと前記モード制御信号により示されると、前記動作モードとして前記ショックタッチ保護モードを選択するステップ、
を更に有する請求項１１に記載の方法。
【請求項１３】
前記大きさが前記ショック閾値より大きいと前記モード制御信号により示されると、前記動作モードとしてショックタッチ警告モードを選択するステップであって、前記ショックタッチ警告モードでは、ユーザは前記ショックタッチ保護モードを開始するよう提案される、ステップ、
を更に有する請求項１１に記載の方法。
【請求項１４】
前記ショック指示信号の履歴に従って、前記ショック閾値を適応するステップであって、前記ショック閾値は、前記ショック指示信号により示される前記歴史的大きさと正相関される、ステップ、を更に有する請求項１１に記載の方法。
【請求項１５】
請求項１０に記載の方法をプロセッサに実行させるコンピュータプログラムを格納している記憶媒体。
【発明の詳細な説明】
【技術分野】
【０００１】
本発明は、モバイル装置に関する。
【０００２】
本発明は、モバイル装置の動作方法に更に関する。
【０００３】
本発明は、プロセッサに方法を実行させるコンピュータプログラムを格納している記憶媒体に更に関する。
【背景技術】
【０００４】
近年、種々のモバイル装置の豊富な利用可能性により、モバイルコンピューティングへの大きな転換が起こっている。例は、パームトップ、ＭＤＡ（Mobile  Digital  Assistant）、ＰＤＡ（Personal  digital  assistant）、ＤＡＰ（digital  audio  player）、ＰＭＰ（Portable  media  player）、デジタルカメラ、携帯電話機、ポケットＰＣ、及びＧＰＳ（Global  Positioning  System）装置である。これらのモバイル装置は、ハンドヘルド型であり、又は車若しくは他の乗り物に統合され得る。
【０００５】
幾つかの要因がこの劇的変化に影響を与えるが、最も関連のある要因は、マルチタッチインタフェースと、タッチインタフェースに最適化された相互作用経験をユーザに可能にする一連のオペレーティングシステムとの組合せである。同時に、ユーザは、モバイル装置を益々活動的な状況に導入し始めている。電車、車、船舶、航空機、さらにはバイクである。移動中（又は動いている乗り物の一部である間）にタッチに基づく装置を制御することは、ユーザがモバイル装置を不注意に起動し又は意図しない方法で装置を起動するという結果をもたらすという問題がある。
【発明の概要】
【発明が解決しようとする課題】
【０００６】
本発明の第１の目的は、上述の問題を少なくとも部分的に軽減するモバイル装置を提供することである。
【０００７】
本発明の第２の目的は、上述の問題を少なくとも部分的に軽減するモバイル装置の動作方法を提供することである。
【０００８】
本発明の第３の目的は、プロセッサに上述の問題を少なくとも部分的に軽減する方法を実行させるコンピュータプログラムを格納した記憶媒体を提供することである。
【課題を解決するための手段】
【０００９】
本発明の第１の態様によると、モバイル装置であって、−データ処理部と、−前記データ処理部にタッチ入力信号を提供するよう配置されるタッチ制御部と、−前記モバイル装置の位置の３次又はそれより高次の微分の大きさを示すショック指示信号を生成するよう配置される動き状態センサ部と、−少なくとも、前記タッチ入力信号が前記モバイル装置の動作を制御する制御信号として用いられる通常動作モード及び前記タッチ入力信号が禁止されるショックタッチ保護モードを有する相互に異なる複数の動作モードのうちの１つを選択するモード制御部と、を有するモバイル装置が提供される。
【００１０】
前記モード制御部は、前記モバイル装置に、前記タッチ入力信号を禁止することにより、自主的なタッチ入力信号又はショックから生じる誤ったタッチ入力信号を抑制させる。前記タッチ入力信号の禁止は、タッチ制御部をオフにすることにより、又はレンダリングされたタッチ入力信号が処理されることを防ぐことにより、行うことができる。本発明によるモバイル装置は、前記モバイル装置の位置の３次又はそれより高次の微分の大きさを示すショック指示信号を生成するよう配置される動き状態センサ部を有する。この信号は、前記モード制御部により直接又は間接的に用いられる。例えば、モバイル装置は、ショック指示信号により示される大きさをショック閾値と比較し及びこの比較の結果を示すモード制御信号を提供する閾部を有しても良い。
【００１１】
留意すべきことに、ＪＰ２０１１−６１３１６は、近モバイル装置が身体、例えばユーザの耳の近くに保持されているか否かを検出する接センサを備えたモバイル装置を記載している。この状態が検出された場合、モバイル装置は、タッチ入力が禁止される動作モードをとる。モバイル装置は、前記モバイル装置が加速されているか否かを決定する加速度センサを更に有する。後者の場合、近接センサの感度は、増大される。前記加速度センサの信号は、タッチ入力を禁止するために用いられない。近接センサがモバイル装置が身体の近くに保持されていることを検出しない限り、前記モバイル装置はタッチ入力信号を通常通り受け付ける。さらに、加速度信号は、ショック制御管理に適さない。例えばエレベータ又は電車のような、一定又はゆっくりと変化する大きさで加速される環境に居るユーザは、不注意なタッチイベントの危険を伴わずに、タッチによりモバイル装置を正常に操作できる。
【００１２】
モバイル装置がショック指示信号を直接的に用いる実施形態では、前記の大きさが前記ショック閾値より大きいと前記モード制御信号により示されると、前記モバイル装置は前記ショックタッチ保護モードをとる。
【００１３】
モバイル装置がショック指示信号を間接的に用いる実施形態では、前記の大きさが前記ショック閾値より大きいと前記モード制御信号により示されると、前記データ処理部は、ユーザが前記ショックタッチ保護モードを開始するよう提案されるショックタッチ警告モードをとる。
【００１４】
一実施形態では、前記ショック指示信号の直接的及び間接的使用の両方が生じる。例えば、前記モバイル装置は、前記大きさが第１のショック閾値より大きいとき前記ショックタッチ警告モードをとり、前記大きさが前記第１のショック閾値より大きい第２のショック閾値より大きいとき前記ショックタッチ保護モードをとる。
【００１５】
ショック閾値は、固定値を有しても良いが、ショック閾値は、環境に従って選択的に又は動的に適応されても良い。一実施形態では、前記モバイル装置は、閾適応部を有する。前記閾適応部は、前記ショック入力信号の履歴に従って、前記ショック閾値を適応するよう配置され、前記ショック閾値は、前記ショック入力信号により示される前記大きさと正相関される。
【００１６】
前記モバイル装置では、前記ショック指示信号は前記ショックの方向も示し、前記ショック指示信号により示される大きさ及び方向に依存する動作モードが選択される。この目的のためのセンサは市販されている。例えば、３つの直交軸に沿って測定した加速度を示す加速度信号を提供するＭＥＭＳベースの加速度センサが入手可能である。これらの加速度の各々の１次微分に対応するジャーク成分は、モード制御のために選択的に用いることができる。代替で、ジャークは、３つの直交軸の各々に従って直接的に測定されても良い。一実施形態では、モバイル装置は、タッチ制御部により定められる平面（タッチ制御面）内の方向のショックと比べて、該平面に直交する方向のショックに相対的に鈍感である。例えば、これは、ユーザの速い反応が要求されるゲーム環境で有利である。このような環境では、ユーザのタッチ動作は、ユーザがタッチ制御部をタッチする力により、及び／又はユーザがモバイル装置を保持する手の動きにより、タッチ制御面に主に垂直なショックを引き起こし得る。このタッチ制御部に垂直な方向のショックに対して相対的に鈍感であることは、タッチ制御面に垂直な方向のショックに対する別個の相対的に高いショック閾により実現できる。したがって、タッチ制御面に主に垂直な方向を有するショックは、モバイル装置に、相対的に大きな大きさを有する場合に、ショックタッチ保護モードをとらせる。望ましくは、方向感知動き状態センサ、例えばジャークセンサは、タッチ制御面に揃えられる。しかしながら、方向感知動き状態センサがこのように揃えられない場合には、位置合わせされたショック指示信号は、マトリックス変換により得られても良い。別の実施形態では、タッチ制御部に垂直な方向のショックに対して相対的に鈍感なことは、タッチ制御面の法線に関連するショックの方向を示す方向信号を提供する方向指示部により実現されても良い。方向信号は、例えば方向信号に応じて閾を制御することにより、装置に示されるショックの感度を制御するために用いることができる。
【００１７】
方向感知は、アプリケーションの種類に依存して行われても良い。この目的のため、データ処理部は、モード制御部の方向依存性を制御する方向感知制御信号を提供しても良い。
【００１８】
モバイル装置の特定の実施形態では、タッチ入力信号はショックタッチ保護モードでは禁止されるが、完全にブロックされない。本実施形態では、モバイル装置は、モード制御却下ユニットを有しても良い。モード制御却下ユニットは、タッチ制御信号が自発的なユーザ動作から生じる可能性が可能性閾より高いと決定した場合、タッチ入力信号による制御を可能にする。一実施形態では、これは、モード制御却下ユニットが、ユーザが特定のユーザ動作を連続して繰り返すか否かを検出することで実現される。例えば、ユーザが繰り返し狭い領域内でタッチ制御部にタッチする場合、モード制御ユニットは、タッチ制御信号が自発的なユーザ動作から生じる可能性が、可能性閾より高いと決定し、モバイル装置がショックタッチ保護モードで動作している場合でもタッチ入力信号による制御を可能にする。
【００１９】
第１の態様によるモバイル装置の実施形態は、前記ショック閾値より大きい前記大きさの最後の発生の後、所定の時間間隔まで、前記モバイル装置をショックタッチ保護モードに維持するタイマ部、を有する。これにより、モバイル装置の動作は、ユーザにとってより予測可能になる。ここで、モバイル装置は、異なる動作モード間で頻繁に切り替えすぎない。本実施形態では、モバイル装置のユーザインタフェースは、時間間隔の残りの期間の間、指示を提供しても良い。ユーザインタフェースは、ユーザにタイマを停止する制御選択肢を更に提供し、通常動作モードがユーザにより望まれる場合に直ちに再開されるようにしても良い。
【００２０】
第１の態様によるモバイル装置の実施形態は、タッチ入力信号を遅延させる遅延部を有する。
【００２１】
本発明の第２の態様によると、モバイル装置の動作方法であって、前記モバイル装置の位置の３次又はそれより高次の微分の大きさを示すショック指示信号を提供するステップと、前記ショック指示信号を処理するステップと、前記ショック指示信号に依存して、少なくとも、ユーザが前記モバイル装置の動作を制御するための制御信号としてタッチ入力信号を提供できる通常動作モード及びタッチ入力信号による制御が禁止されるショックタッチ保護モードを有する相互に異なる複数の動作モードのうちの１つで選択的に動作するステップと、を有する方法が提供される。
【００２２】
本発明の第３の態様によると、プロセッサに第２の態様による方法を実行させるコンピュータプログラムを格納した記憶媒体が提供される。
【図面の簡単な説明】
【００２３】
上述及び他の態様は、図面を参照して以下に詳述する。
【図１】モバイル装置を図示する。
【図２】本発明の第１の態様によるモバイル装置の第１の実施形態を詳細に図示する。
【図３】本発明の第２の態様による動作方法の実施形態において選択可能な種々の動作モードの概略を図示する。
【図４】本発明の第１の態様によるモバイル装置の第２の実施形態を詳細に図示する。
【図５】本発明の第１の態様によるモバイル装置の第３の実施形態を詳細に図示する。
【図６】本発明の第１の態様によるモバイル装置の第４の実施形態を詳細に図示する。
【図７】本発明の第１の態様によるモバイル装置の第５の実施形態を詳細に図示する。
【図８】本発明の第１の態様によるモバイル装置の第６の実施形態を詳細に図示する。
【図９】本発明の第１の態様によるモバイル装置の第７の実施形態を詳細に図示する。
【図１０】本発明の第２の態様による動作方法の実施形態を図示する。
【発明を実施するための形態】
【００２４】
種々の図面中の同様の参照符号は、特に示さない限り、同様の要素を示す。
【００２５】
図１は、モバイル装置１を図示する。モバイル装置１は、例えば、パームトップ、ＭＤＡ、ＰＤＡ、ＤＡＰ、ＰＭＰ、デジタルカメラ、携帯電話機、ポケットＰＣ、ＧＰＳ装置又は他のモバイル装置のうちの１つである。モバイル装置１は、車又は他の乗り物に一時的に又は恒久的に統合されても良い。
【００２６】
図２に図示した第１の実施形態のモバイル装置１は、データ処理部１０を有する。モバイル装置は、タッチ入力信号Ｓｔをデータ処理部１０に供給するよう配置されるタッチ制御部２０、及びショック指示信号Ｓｊを生成するよう配置される動き状態センサ部３０を更に有する。ショック指示信号Ｓｊは、モバイル装置１の位置の３次又はそれより高次の微分の大きさを示す。
【００２７】
モバイル装置１はモード制御部１５を更に有する。モード制御部１５は、図３に示すような相互に異なる複数の動作モードのうちの１つを選択するよう機能する。
【００２８】
通常動作モードＭ１では、タッチ入力信号は、モバイル装置の動作を制御する制御信号として用いられる。モバイル装置は、タッチ入力信号Ｓｔが禁止されるショックタッチ保護モードＭ２も有する。
【００２９】
この場合には、動き状態センサ部３０は、加速度センサ３２を有する。動き状態センサ部３０は、加速度センサの出力信号Ｓａにより示される加速度の時間微分を計算し及び例えばジャーク（Jerk）ベクトルの大きさ又はジャークベクトルの最大成分の大きさを示すその微分のジャーク（Jerk）値を示す出力信号Ｓｊを提供する微分器３４を更に有する。モバイル装置１は、ジャーク閾値を示すジャーク閾信号Ｓｊｔを提供する閾指示装置３６を更に有する。動き状態センサ部３０に含まれる比較器３８は、ジャーク値をジャーク閾信号Ｓｊｔにより示されるジャーク閾値と比較し、ジャークの大きさがジャーク閾信号Ｓｊｔにより示される閾を超えたか否かを示すモード制御信号Ｓｍｓをモード制御部１５に提供する。比較器３８による比較の結果は、データ処理部１０の動作及びそれに伴いモバイル装置１の動作を制御するために用いられる。この場合、モバイル装置は、通常動作モードＭ１及びショックタッチ保護モードＭ２に加えて、図３に図示したようなショックタッチ警告モードＭ１２も有する。通常動作モードＭ１中、データ処理部１０は、全てのタッチ入力信号Ｓｔを通常通り処理する。比較器３８が信号Ｓｊにより示されたジャーク値がジャーク閾値を超えると決定した場合、モバイル装置は、ショックタッチ警告モードＭ１２をとる。このモードでは、データ処理部１０は、依然として全てのタッチ入力信号Ｓｔを処理するが、誤入力の危険を示す注意がユーザに伝達され、ユーザはショックタッチ保護モードが望ましいか否かを尋ねられる。これがユーザにより確認された場合、データ処理部１０は、ショックタッチ保護モードＭ２をとり、タッチ入力信号Ｓｔは禁止される。ユーザはタッチ入力により確認しても良いが、この目的のために代替の他の入力手段、例えば音声入力手段が設けられても良い。一実施形態では、比較器は、ジャーク値が第１の閾値より高い第２の閾値を超えたか否かを更に示す動き状態信号を提供するよう配置されても良い。この場合、データ処理部は、ユーザからの確認を要求することなく、直接にショックタッチ保護モードＭ２をとる。ユーザは、モバイル装置を振ることにより確認を与えるために、モードＭ１２でこの特徴を用いても良い。
【００３０】
ショックタッチ警告モードＭ１２は、例えば、ショックタッチ保護モードに入るのを拒否する選択肢をユーザに提供することにより、終了しても良い。この場合、データ処理部１０は、通常動作モードＭ１を再び取る。
【００３１】
ショックタッチ保護モードＭ２は、ユーザによる明示的要求により終了しても良いが、代替で、所定時間量中、ジャーク値がジャーク閾値、例えば第２のジャーク閾値より小さいと決定された場合に、自動的に終了しても良い。ショックタッチ保護モードＭ２が自動終了すると、データ処理部１０は、通常動作モードＭ１を直接的に再びとっても良い。しかし、代替で、データ処理部１０はショックタッチ警告モードＭ１２をとってみも良く、ユーザは、通常モードＭ１への遷移が望ましいか否かを示すよう要求される。
【００３２】
留意すべきことに、モバイル装置１は他の動作モードを有しても良い。例えば、装置は、精細タッチ入力を要求するタッチ入力動作が禁止され及び粗タッチ入力を要求するタッチ入力動作は依然として可能な中間ショックタッチ保護モードを有しても良い。
【００３３】
図示の実施形態では、ジャーク信号Ｓｊは、加速度信号の時間微分により得られる。しかしながら、ジャーク信号Ｓｊは、他の方法で決定されても良い。例えば、出力信号Ｓｊは、ジャークセンサにより直接生成されても良い。例えば、図６のジャークセンサ３３を参照のこと。代替で、装置の位置が正確に決定できる場合、ジャークは、位置の３回微分により決定されても良い。代替で、ショック指示信号は、位置の４次及びそれより高次の微分の大きさで示されても良い。
【００３４】
モバイル装置の機能に依存して、モバイル装置は、種々の他の部分、例えばディスプレイ４０、スピーカ４２及び／又は振動装置４４又は他の出力設備を有しても良い。ディスプレイ４０が存在する場合、タッチ制御部はディスプレイ４０に統合されても良い。また、マイクロホン５０又はカメラ５２のような他の入力設備が設けられても良い。モバイル装置は、アンテナ６０又は通信ポート６２のような、他の装置と有線又は無線通信するための通信設備を設けられても良い。
【００３５】
図４は、第２の実施形態を示す。図４では、装置は、動き状態センサ部３０により提供されるモード制御信号Ｓｍｓに依存してタッチ入力信号Ｓｔを制御タッチ入力信号Ｓｔｃとして選択的に通過させる分離タッチ入力制御部２２を有する。それとともに、タッチ入力制御部２２はモード制御部として機能する。
【００３６】
図５は、第３の実施形態を示す。図５の実施形態では、モバイル装置は、閾適応部３１を有する。閾適応部３１は、ジャーク入力信号Ｓｊの履歴に従ってジャーク閾信号Ｓｊｔにより示されるジャーク閾値Ｔｊを適応するよう配置される。ジャーク閾値は、ジャーク入力信号Ｓｊにより示されるジャークの大きさＪと正相関される。これは、ジャークが適度な値を有する場合でも、ユーザが突然生じるジャークに驚くことを考慮に入れるためである。しかしながら、特定レベルのジャークに慣れているユーザは、例えば車内又は電車内に座っているとき、モバイル装置１を良好に制御できる。例えば、閾適応部３１は、閾ＴｊをジャークＪの大きさの移動平均に比例する値に設定しても良い。移動平均は、過度のジャークの場合にもショックタッチ保護モードが依然として有効であることを保証するために、最大値を設けられ（capped  to）ても良い。
【００３７】
図６は、第４の実施形態を示す。モバイル装置１は、タッチ入力信号Ｓｔを遅延させる遅延部２４である。それとともに、タッチ入力信号Ｓｔは、動き状態センサ部３０及びモード制御部２２の応答時間に対応する時間間隔で遅延される。遅延部２４は、他の実施形態、例えば図３〜５を参照して記載する実施形態でも等しく適用可能である。遅延部２４は、モード制御部２２（又は１５）がタッチ信号を禁止する前に、ショックの開始で無意識に引き起こされるタッチ信号Ｓｔが通常通り処理されてしまうのを回避する。通常動作との干渉を回避するために、タッチ入力信号Ｔｊが遅延される時間間隔は、この目的のために必要な長さより長くないこと、つまり、動き状態センサ部３０及びモード制御部２２の結合応答時間より実質的に長くないことが望ましい。図６のモバイル装置は、モバイル装置１が晒されるジャークを直接測定し及びそれを示す出力信号Ｔｊを生成するジャークセンサ３３を有する。
【００３８】
図７は、第５の実施形態を示す。図７では、モバイル装置１はタイマ部３５を有する。タイマ部３５は、ジャーク閾値より大きい大きさの最後の発生後、所定の時間間隔まで、モバイル装置をショックタッチ保護モードＭ３に維持する。タイマ部３５は、ショック指示信号Ｓｊにより示される大きさがショック閾値Ｓｊｔより大きいことがモード制御信号Ｓｍｓにより示される度に起動される。タイマ部３５が起動している限り、（遅延された）タッチ入力信号Ｓｔは禁止され、それとともに、モバイル装置はショックタッチ保護モードＭ２に維持される。タイマ部３５は、他の実施形態、例えばモード制御部１５がデータ処理部１０に統合される実施形態でも適用可能である。
【００３９】
図７は、モバイル装置１の第６の実施形態である。それとともに、ショック指示信号Ｓｊは、ショックの方向を示す。この場合、ショック指示信号Ｓｊは、別個の成分Ｓｊｘ、Ｓｊｙ、Ｓｊｚを有する。ショック指示信号の成分Ｓｊｘ、Ｓｊｙ、Ｓｊｚは、ジャークＪの成分Ｊｘ、Ｊｙ、Ｊｚを示す。成分Ｊｚは、タッチ制御部２０により定められるタッチ制御面に垂直な方向のジャークＪの成分であり、Ｊｘ及びＪｙは、タッチ制御面に沿った成分である。閾指示装置２６は、各方向ｘ、ｙ、ｚのジャーク閾Ｊｔｘ、Ｊｔｙ、Ｊｔｚを示す制御信号Ｓｊｔｘｙｚを提供する。それとともに、モード制御部２２は、ショック指示信号Ｓｊｘ、Ｓｊｙ、Ｓｊｚにより示される大きさ及び方向に依存する動作モードを選択するよう配置される。モバイル装置は、所定の方向に依存するショック感度を有しても良い。ここで、ジャーク閾Ｊｔｚは、成分Ｊｔｘ、Ｊｔｙと比べて相対的に高い所定の値を有する。代替で、ショック感度の方向依存性は、制御可能であっても良い。例えば、データ処理部１０は、データ処理部１０により処理されるアプリケーションに依存する方向感度制御信号Ｓｄｓｃを提供しても良い。例えば、ゲームモードでは、データ処理部１０は、閾指示装置３６に、ジャーク閾Ｊｔｚをジャーク閾Ｊｔｘ、Ｊｔｙと比べて相対的に高い値に設定させる。一方、メールを読む又は動画を観るような他のアプリケーションでは、閾Ｊｔｘ、Ｊｔｙ、Ｊｔｚは同じ値である。閾は、入力の機能に更に依存しても良い。例えば、大きな損害、例えば削除機能又はディスク初期化機能を引き起こし得る入力動作の状況では、閾は通常より高いレベルに設定されても良い。閾は、ショック入力信号Ｓｊの履歴に従って更に適応されても良い。
【００４０】
図８は、第７の実施形態を示す。モバイル装置の本実施形態では、タッチ入力信号はショックタッチ保護モードでは禁止されるが、完全にブロックされない。本実施形態では、モバイル装置は、モード制御却下ユニット２４を有しても良い。モード制御却下ユニット２４は、タッチ制御信号が自発的なユーザ動作から生じる可能性が可能性閾より高いと決定した場合、タッチ入力信号による制御を可能にする。一実施形態では、これは、モード制御却下ユニットが、ユーザが特定のユーザ動作を連続して繰り返すか否かを検出することで実現される。例えば、ユーザが繰り返し、例えば１０秒間に５回より多く、狭い領域内で、例えば半径５ｍｍ以内でタッチ制御部２０にタッチする場合、モード制御ユニットは、タッチ制御信号が自発的なユーザ動作から生じる可能性が、可能性閾より高いと決定し、モバイル装置がショックタッチ保護モードで動作している場合でもタッチ入力信号Ｓｔによる制御を可能にする。
【００４１】
図１０は、本発明の第２の態様によるモバイル装置の動作方法を図示する。方法は、モバイル装置の位置の３次又はそれより高次の微分の大きさを示すショック指示信号を供給するステップＳ１を有する。例えば、ジャークベクトルの大きさは、このステップで決定される。次に、ステップＳ２で、ショック指示信号は処理され、相互に異なる複数の動作モードの間での選択を可能にする。大きさがジャーク閾値より低い場合、通常動作モード（Ｍ１、図３）がとられ、ステップＳ３を実行させる。それとともに、ユーザは、制御信号としてのタッチ入力信号によりモバイル装置の動作を制御可能になる。ステップＳ１、Ｓ２、Ｓ３は、同時に実行されても良い。つまり、ユーザが装置をタッチ制御信号で制御している間、装置は、ジャークの大きさを監視し続ける。ステップＳ２でジャークの大きさがジャーク閾値を超えたことが分かった場合、ステップＳ４で、ショックタッチ保護モードＭ３がとられ、タッチ制御が禁止される。一実施形態では、方法は、補助ステップＳ５を有する。Ｓ５で、ショックタッチ保護モードＭ３は、ショック／ジャーク閾値より大きい大きさの最後の発生の後、所定の時間間隔まで、維持される。
【００４２】
ステップＳ２で適度なジャークの大きさが決定された場合、ステップＳ６でショックタッチ警告モードが取られる。ここで、ユーザは、通常動作モードＭ１又はショックタッチ保護動作モードＭ２の間で選択する選択肢を与えられる。ステップＳ７で行われるこの選択に依存して、動作はステップＳ３又はステップＳ４に続く。
【００４３】
まとめると、本発明は、データ処理部１０、タッチ入力信号Ｓｔをデータ処理部１０に提供するよう配置されるタッチ制御部２０、及びモバイル装置の３次又はそれより高次の微分の大きさを示すショック指示信号Ｓｊを提供するよう構成される動き状態センサ部３０を有するモバイル装置を提供する。モバイル装置は、相互に異なる複数の動作モードＭ１、Ｍ２のうちの１つを選択するモード制御部１５、２２を更に有する。相互に異なる複数の動作モードは、少なくとも、タッチ入力信号がモバイル装置の動作を制御する制御信号として用いられる通常動作モードＭ１、及びタッチ入力信号が禁止されるショックタッチ保護モードＭ２を有する。ショック指示信号Ｓｊは、モード制御部により直接又は間接的に用いられる。例えば、モバイル装置は、ショック指示信号により示される大きさをショック閾値と比較し及びこの比較の結果を示すモード制御信号を提供する閾部を有しても良い。
【００４４】
本発明の実施形態は、添付の図面に示され以上の詳細な説明に記載されたが、本発明は開示された実施形態に限定されるものではなく、特許請求の範囲に定められた本発明の範囲から逸脱することなく多数の変形が可能であることが理解されるだろう。
【００４５】
当業者に明らかなように、「部（ｆａｃｉｌｉｔｙ）」は、単独で又は他の機能と関連して、或いは他の要素と分離して又は協働して、動作中に再生される又は特定の機能を再生するよう設計された、（別個の回路又は集積回路又は電子素子のような）如何なるハードウェア又は（プログラム又はプログラムの一部のような）ソフトウェアも包含することを意味する。本発明は、複数の別個の要素を有するハードウェアにより又は適切にプログラムされたコンピュータにより、実施することができる。複数の部（facility）を列挙している装置の請求項では、これらの部は、１つの同一のハードウェア要素により実装することができる。「コンピュータプログラム」は、フロッピディスク、インターネットのようなネットワークを介してダウンロード可能な又は如何なる他の方法で取引可能な、コンピュータ可読媒体に格納された如何なるソフトウェアも意味すると理解されるべきである。
【００４６】
本願明細書で用いられるように、用語「有する」、「含む」、「備える」（comprises、comprising、includes、including、has）又はそれらの任意の他の変形は、非排他的な包含をカバーすることを意図している。例えば、列挙された要素を有する処理、方法、物品、又は装置は、列挙された要素のみに限定されず、明示的に列挙されない又は該処理、方法、物品又は装置に固有の他の要素を有しても良い。さらに、それとは反対に、明示しない限り、「又は」は、包含を表し、及び／又は排他的論理和を表さない。例えば、条件Ａ又はＢは、以下のうちの任意の１つにより満たされる。Ａが真（又は存在し）且つＢが偽（又は存在しない）、Ａが偽（又は存在しない）且つＢが真（又は存在し）、Ａ及びＢが真（又は存在する）。また、単数（ａ、又はａｎ）の使用は、本発明の要素及びコンポーネントを記載するために用いられる。これは、単に便宜のために及び本発明の全体的意味を与えるために行われる。本開示は、１つの又は少なくとも１つを含むとして読まれ、単数は他の意味であることが明らかでない限り、複数も包含する。
【図１】
2015507296.tif 000003
【図２】
2015507296.tif 000004
【図３】
2015507296.tif 000005
【図４】
2015507296.tif 000006
【図５】
2015507296.tif 000007
【図６】
2015507296.tif 000008
【図７】
2015507296.tif 000009
【図８】
2015507296.tif 000010
【図９】
2015507296.tif 000011
【図１０】
2015507296.tif 000012
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
モバイル装置であって、
−データ処理部と、
−前記データ処理部にタッチ入力信号を提供するよう配置されるタッチ制御部と、
−前記モバイル装置の位置の３次又はそれより高次の微分の大きさを示すショック指示信号を生成するよう配置される動き状態センサ部と、
−少なくとも、前記タッチ入力信号が前記モバイル装置の動作を制御する制御信号として用いられる通常動作モード及び前記タッチ入力信号が禁止されるショックタッチ保護モードを有する相互に異なる複数の動作モードのうちの１つを選択するモード制御部と、
を有し、
前記ショック指示信号は、前記モバイル装置の位置の３次又はそれより高次の微分の方向も示し、前記モード制御部は、前記ショック指示信号により示される大きさ及び方向に依存して動作モードを選択するよう配置される、モバイル装置。
【請求項２】
ショック指示信号により示される前記大きさをショック閾値と比較し及び該比較の結果を示すモード制御信号を提供する閾部、を更に有する請求項１に記載のモバイル装置。
【請求項３】
前記モード制御信号により、前記大きさが前記ショック閾値より大きいと示されると、前記モバイル装置は、前記ショックタッチ保護モードをとる、請求項２に記載のモバイル装置。
【請求項４】
前記モード制御信号により、前記大きさが前記ショック閾値より大きいと示されると、前記モバイル装置は、ユーザが前記ショックタッチ保護モードを起動するよう提案されるショックタッチ警告モードをとる、請求項２に記載のモバイル装置。
【請求項５】
閾適応部、を有し、前記閾適応部は、前記ショック入力信号の履歴に従って前記ショック閾値を選ぶよう配置され、前記ショック閾値は、前記ショック入力信号により示される歴史的大きさと正相関される、請求項２に記載のモバイル装置。
【請求項６】
前記ショック閾値より大きい前記大きさの最後の発生の後、所定の時間間隔まで、前記モバイル装置をショックタッチ保護モードに維持するタイマ部、を有する請求項２に記載のモバイル装置。
【請求項７】
前記タッチ入力信号を遅延させる遅延部、を有する請求項２に記載のモバイル装置。
【請求項８】
モード制御却下部であって、前記タッチ制御信号が自発的なユーザ動作から生じる可能性が可能性閾より高いと決定した場合、前記ショックタッチ保護モード中に前記タッチ入力信号による制御を可能にする、モード制御却下部、を更に有する請求項２に記載のモバイル装置。
【請求項９】
モバイル装置の動作方法であって、
−前記モバイル装置の位置の３次又はそれより高次の微分の大きさを示すショック指示信号を提供するステップと、
−前記ショック指示信号を処理するステップと、
−前記ショック指示信号に依存して、少なくとも、ユーザが前記モバイル装置の動作を制御するための制御信号としてタッチ入力信号を提供できる通常動作モード及びタッチ入力信号による制御が禁止されるショックタッチ保護モードを有する相互に異なる複数の動作モードのうちの１つで選択的に動作するステップと、
を有し、
前記ショック指示信号は、前記モバイル装置の位置の３次又はそれより高次の微分の方向も示し、動作モードの選択は、前記ショック指示信号により示される大きさ及び方向に依存するよう配置される、する方法。
【請求項１０】
前記ショック指示信号により示される大きさをショック閾値と比較し及び該比較の結果を示すモード制御信号を提供するステップ、
を更に有する請求項９に記載の方法。
【請求項１１】
前記大きさが前記ショック閾値より大きいと前記モード制御信号により示されると、前記動作モードとして前記ショックタッチ保護モードを選択するステップ、
を更に有する請求項１０に記載の方法。
【請求項１２】
前記大きさが前記ショック閾値より大きいと前記モード制御信号により示されると、前記動作モードとしてショックタッチ警告モードを選択するステップであって、前記ショックタッチ警告モードでは、ユーザは前記ショックタッチ保護モードを開始するよう提案される、ステップ、
を更に有する請求項１０に記載の方法。
【請求項１３】
前記ショック指示信号の履歴に従って、前記ショック閾値を適応するステップであって、前記ショック閾値は、前記ショック指示信号により示される歴史的大きさと正相関される、ステップ、を更に有する請求項１０に記載の方法。
【請求項１４】
請求項９に記載の方法をプロセッサに実行させるコンピュータプログラムを格納している記憶媒体。
【国際調査報告】
2015507296.tif 000013
2015507296.tif 000014
2015507296.tif 000015